(57)【要約】【解決手段】  実感効果処理システム及び方法が開示される。本発明の実施形態によれば、実感効果情報及び実感装置に対する特性情報に基づいて実感装置を制御する命令情報を生成することによって、コンテンツに含まれる実感効果を現実世界で実現することができる。また、メタデータを２進数フォーマットに符号化して送信したり、ＸＭＬ形態に符号化して送信したり、ＸＭＬ形態に符号化した後再び２進数フォーマットに符号化して送信することによって、データの送信速度を高めて低い帯域幅を用いることができる。
2013538469.tif 000002
【特許請求の範囲】
【請求項１】
実感効果情報を含むコンテンツを再生する実感メディア再生装置において、
前記コンテンツから前記実感効果情報を抽出する抽出部と、
前記抽出された実感効果情報を実感効果メタデータに符号化する符号化部と、
前記実感効果メタデータを実感効果制御装置に送信する送信部と、
を備えることを特徴とする実感メディア再生装置。
【請求項２】
前記符号化部は、前記実感効果情報をＸＭＬ形態に符号化して前記実感効果メタデータを生成することを特徴とする請求項１に記載の実感メディア再生装置。
【請求項３】
前記符号化部は、前記実感効果情報を２進数フォーマットに符号化して前記実感効果メタデータを生成することを特徴とする請求項１に記載の実感メディア再生装置。
【請求項４】
前記符号化部は、前記実感効果情報をＸＭＬ形態に符号化して第１メタデータを生成し、前記第１メタデータを２進数フォーマットに符号化して前記実感効果メタデータを生成することを特徴とする請求項１に記載の実感メディア再生装置。
【請求項５】
前記２進数フォーマットに符号化された前記実感効果メタデータは、２進符号化シンタックス、前記２進符号化シンタックスの属性のビット数、及び前記属性の形式を含むことを特徴とする請求項３に記載の実感メディア再生装置。
【請求項６】
実感効果情報を含むコンテンツを再生する実感メディア再生方法において、
前記コンテンツから前記実感効果情報を抽出するステップと、
前記抽出された実感効果情報を実感効果メタデータに符号化するステップと、
前記実感効果メタデータを実感効果制御装置に送信するステップと、
を含むことを特徴とする実感メディア再生方法。
【請求項７】
前記符号化するステップは、前記実感効果情報をＸＭＬ形態に符号化して前記実感効果メタデータを生成することを特徴とする請求項６に記載の実感メディア再生方法。
【請求項８】
前記符号化するステップは、前記実感効果情報を２進数フォーマットに符号化して前記実感効果メタデータを生成することを特徴とする請求項６に記載の実感メディア再生方法。
【請求項９】
前記符号化するステップは、前記実感効果情報をＸＭＬ形態に符号化して第１メタデータを生成し、前記第１メタデータを２進数フォーマットに符号化して前記実感効果メタデータを生成することを特徴とする請求項６に記載の実感メディア再生方法。
【請求項１０】
前記２進数フォーマットに符号化された前記実感効果メタデータは、２進符号化シンタックス、前記２進符号化シンタックスの属性のビット数、及び前記属性の形式を含むことを特徴とする請求項８に記載の実感メディア再生方法。
【請求項１１】
コンピュータにより実行されると、該コンピュータに請求項６から請求項１０のいずれか一項の方法を実行させるプログラム。
【発明の詳細な説明】
【技術分野】
【０００１】
本発明の実施形態は実感効果処理システム及び方法に関し、より詳しくは、コンテンツに含まれた実感効果を高速で処理するためのシステム及び方法に関する。
【背景技術】
【０００２】
最近のコンテンツ再生装置は、コンテンツ情報を単に表示してユーザに提供するのに留まらず、別途の駆動装置（Ａｃｔｕａｔｏｒ）を用いて様々な効果と共にコンテンツ情報をユーザに提供している。例えば、最近脚光を浴びている４Ｄシアターの場合、映画映像を提供するだけではなく、映画内容に対応してシアターの椅子が振動する効果、風が吹く効果、水がはねる効果などを共に提供している。したがって、ユーザはより多くの効果を実感することができ、コンテンツを楽しむことが可能になった。
【０００３】
このように、ユーザに実感的な効果を共に提供するコンテンツ再生装置及び駆動装置は様々な生活領域に適用されている。コントローラが振動するゲーム機、匂いを提供するＴＶなどが販売及び研究されている。
【０００４】
しかし、コンテンツに含まれる効果情報が駆動装置で効率よく実現されるように制御する装置及び方法については研究されていないため、効果情報を効果的に現実世界で実現することができない。
【発明の概要】
【発明が解決しようとする課題】
【０００５】
本明細書では効果情報を現実世界のアクチュエータで実現する動作を制御する装置及び方法に対する新しい方案が提示される。
【課題を解決するための手段】
【０００６】
一実施形態に係る実感効果情報を含むコンテンツを再生する実感メディア再生装置は、前記コンテンツから前記実感効果情報を抽出する抽出部と、前記抽出された実感効果情報を実感効果メタデータに符号化する符号化部と、前記実感効果メタデータを実感効果制御装置に送信する送信部とを備える。
【０００７】
一実施形態に係る実感効果情報を含むコンテンツを再生する実感メディア再生方法は、前記コンテンツから前記実感効果情報を抽出するステップと、前記抽出された実感効果情報を実感効果メタデータに符号化するステップと、前記実感効果メタデータを実感効果制御装置に送信するステップとを含む。
【図面の簡単な説明】
【０００８】
【図１】本発明の一実施形態に係る実感効果処理システムを示す図である。
【図２】本発明の一実施形態に係る実感効果処理システムを示す図である。
【図３】本発明の一実施形態に係る実感効果処理システムを示す図である。
【図４】本発明の一実施形態に係る実感効果処理システムを示す図である。
【図５】本発明の一実施形態に係る実感装置の構成を示す図である。
【図６】本発明の一実施形態に係る実感効果制御装置の構成を示す図である。
【図７Ａ】本発明の一実施形態に係る実感メディア再生装置の構成を示す図である。
【図７Ｂ】本発明の一実施形態に係る実感効果処理システムの動作方法を示す図である。
【発明を実施するための形態】
【０００９】
以下、本発明に係る実施形態を添付する図面を参照しながら詳細に説明する。しかし、本発明が実施形態によって制限されたり限定されることはない。各図面に提示された同一の参照符号は同一の部材を示す。
【００１０】
図１は、本発明の一実施形態に係る実感効果処理システムを示す図である。図１を参照すると、本発明の一実施形態に係る実感効果処理システム１００は、実感メディア再生装置１１０、実感効果制御装置１２０及び実感装置１３０を備える。
【００１１】
実感メディア再生装置１１０は、少なくとも１つの実感効果情報を含むコンテンツを再生する装置である。実感メディア再生装置１１０は、ＤＶＤプレーヤ、映画上映機、パーソナルコンピュータ（ＰＣ）、ゲーム機、仮想世界処理装置などを含んでもよい。
【００１２】
実感効果情報は、実感メディア再生装置１１０で再生するコンテンツに対応して現実世界で実現される所定の効果に関する情報である。例えば、実感効果情報は、ゲーム機で再生する仮想世界内で地震が発生すれば、ゲーム機のコントローラが振動するという効果に関する情報である。実感効果情報について後述する。
【００１３】
一実施形態に係る実感メディア再生装置１１０は、コンテンツから実感効果情報を抽出してもよい。また、実感メディア再生装置１１０は、抽出された実感効果情報を実感効果メタデータ（Ｓｅｎｓｏｒｙ  Ｅｆｆｅｃｔ  Ｍｅｔａｄａｔａ、ＳＥＭ）に符号化してもよい。すなわち、実感メディア再生装置１１０は実感効果情報を符号化して実感効果メタデータを生成することができる。また、一実施形態に係る実感メディア再生装置１１０は、生成した実感効果メタデータを実感効果制御装置１２０に送信する。
【００１４】
実感装置１３０は、実感効果情報に対応する効果イベントを行う装置である。一実施形態に係る実感装置１３０は、効果イベントを現実世界で実現するアクチュエータ（Ａｃｔｕａｔｏｒ）であってもよい。実感装置１３０は、振動ゲームコントローラ、４Ｄシアターの座席、仮想世界再生ゴーグルなどを含んでもよい。
【００１５】
効果イベントは、実感効果情報に対応して実感装置１３０によって現実世界で実現されるイベントであってもよい。例えば、効果イベントは、ゲーム機のコントローラが振動するようにする実感効果情報に対応してゲーム機の振動部を動作させるイベントであってもよい。
【００１６】
一実施形態に係る実感装置１３０は、実感装置１３０の特性に対する特性情報を実感装置特性メタデータ（Ｓｅｎｓｏｒｙ  Ｄｅｖｉｃｅ  Ｃａｐａｂｉｌｉｔｙ  Ｍｅｔａｄａｔａ、ＳＤＣａｐ  Ｍｅｔａｄａｔａ）に符号化してもよい。すなわち、実感装置１３０は、特性情報を符号化して実感装置特性メタデータを生成する。実感装置１３０の特性に対する特性情報について後述する。
【００１７】
また、一実施形態に係る実感装置１３０は、生成した実感装置特性メタデータを実感効果制御装置１２０に送信する。
【００１８】
本発明の一側面によれば、実感装置１３０は、ユーザの実感効果に対する嗜好情報をユーザ実感嗜好メタデータに符号化する。すなわち、実感装置１３０は、ユーザの実感効果に対する嗜好情報を符号化してユーザ実感嗜好メタデータ（Ｕｓｅｒ  Ｓｅｎｓｏｒｙ  Ｐｒｅｆｅｒｅｎｃｅ  Ｍｅｔａｄａｔａ、ＵＳＰ  Ｍｅｔａｄａｔａ）を生成してもよい。
【００１９】
ユーザの実感効果に対する嗜好情報は、個々の実感効果に対するユーザの嗜好程度を示す情報であってもよい。また、一実施形態に係る嗜好情報は、実感効果情報に対応して行われる効果イベントのレベルに関する情報であってもよい。例えば、コントローラが振動するようにする効果イベントにおいて、ユーザが振動を所望しなければ、嗜好情報は振動効果に対する効果イベントのレベルを０にする情報であってもよい。ユーザの実感効果に対する嗜好情報について後述する。
【００２０】
一実施形態に係る実感装置１３０は、嗜好情報をユーザから入力されてもよい。また、実感装置１３０は、生成されたユーザ実感嗜好メタデータを実感効果制御装置１２０に送信してもよい。
【００２１】
実感効果制御装置１２０は、実感メディア再生装置１１０から実感効果メタデータを受信し、実感装置１３０から実感装置特性メタデータを受信してもよい。また、実感効果制御装置１２０は、実感効果メタデータ及び実感装置特性メタデータを復号化してもよい。
【００２２】
一実施形態に係る実感効果制御装置１２０は、実感効果メタデータを復号化して実感効果情報を抽出する。また、実感効果制御装置１２０は、実感装置特性メタデータを復号化して実感装置１３０の特性に対する特性情報を抽出してもよい。
【００２３】
実感効果制御装置１２０は、デコードされた実感効果メタデータ及びデコードされた実感装置特性メタデータに基づいて実感装置１３０を制御する命令情報を生成してもよい。したがって、実感効果制御装置１２０は、実感装置１３０が実感装置１３０の特性に適するように効果イベントを行うことができるように制御する命令情報を生成してもよい。
【００２４】
命令情報は、実感装置１３０による効果イベントの実行を制御する情報であってもよい。実施形態によって命令情報は実感効果情報を含んでもよい。
【００２５】
本発明の一側に係る実感効果制御装置１２０は、実感装置１３０から実感装置特性メタデータ及びユーザ実感嗜好メタデータを受信してもよい。ここで、実感効果制御装置１２０は、ユーザ実感嗜好メタデータを復号化してユーザの実感効果に対する嗜好情報を抽出してもよい。
【００２６】
また、実感効果制御装置１２０は、デコードされた実感効果メタデータ、デコードされた実感装置特性メタデータ及びデコードされたユーザ実感嗜好メタデータに基づいて命令情報を生成してもよい。実施形態によっては、命令情報は実感効果情報を含んでもよい。したがって、実感効果制御装置１２０は、実感装置１３０が実感装置１３０の特性に適しながらもユーザの嗜好の程度を反映して効果イベントを行うように制御する命令情報を生成することができる。
【００２７】
実感効果制御装置１２０は、生成した命令情報を実感装置命令メタデータに符号化してもよい。すなわち、実感効果制御装置１２０は、生成した命令情報を符号化して実感装置命令メタデータを生成してもよい。
【００２８】
また、実感効果制御装置１２０は、実感装置命令メタデータを実感装置１３０に送信してもよい。実感装置１３０は、実感効果制御装置１２０から実感装置命令メタデータを受信し、受信した実感装置命令メタデータを復号化してもよい。すなわち、実感装置１３０は、実感装置命令メタデータを復号化して実感効果情報を抽出してもよい。ここで、実感装置１３０は、実感効果情報に対応する効果イベントを行う。
【００２９】
本発明の一側面によれば、実感装置１３０は、実感装置命令メタデータを復号化して命令情報を抽出する。ここで、実感装置１３０は命令情報に基づいて実感効果情報に対応する効果イベントを行う。
【００３０】
図２から図４は、本発明の一実施形態に係る実感効果処理システムを示す図である。図２を参照すると、本発明の一実施形態に係る実感効果処理システム２００は、実感メディア再生装置２１０、実感効果制御装置２２０及び実感装置２３０を備える。
【００３１】
実感メディア再生装置２１０は、ＸＭＬエンコーダ（ＸＭＬ  Ｅｎｃｏｄｅｒ、ｅＸｔｅｎｓｉｂｌｅ  Ｍａｒｋ−ｕｐ  Ｌａｎｇｕａｇｅ  Ｅｎｃｏｄｅｒ）２１１を含んでもよい。
【００３２】
ＸＭＬエンコーダ２１１は、実感効果情報をＸＭＬ形態に符号化して実感効果メタデータを生成してもよい。ここで、実感メディア再生装置２１０は、実感効果制御装置２２０にＸＭＬ形態に符号化された実感効果メタデータを送信してもよい。
【００３３】
実感効果制御装置２２０は、ＸＭＬデコーダ（ＸＭＬ  Ｄｅｃｏｄｅｒ）２２１を含んでもよい。ＸＭＬデコーダ２２１は、実感メディア再生装置２１０から受信された実感効果メタデータを復号化してもよい。一実施形態に係るＸＭＬデコーダ２２１は、実感効果メタデータを復号化して実感効果情報を抽出してもよい。
【００３４】
実感装置２３０は、ＸＭＬエンコーダ２３１を含んでもよい。ＸＭＬエンコーダ２３１は、実感装置２３０の特性に対する特性情報をＸＭＬ形態に符号化して実感装置特性メタデータを生成してもよい。ここで、実感装置２３０は、実感効果制御装置２２０にＸＭＬ形態に符号化された実感装置特性メタデータを送信してもよい。
【００３５】
本発明の一側面によれば、ＸＭＬエンコーダ２３１は、ユーザの実感効果に対する嗜好情報をＸＭＬ形態に符号化してユーザ実感嗜好メタデータを生成してもよい。ここで、実感装置２３０は、実感効果制御装置２２０にＸＭＬ形態に符号化されたユーザ実感嗜好メタデータを送信してもよい。実感効果制御装置２２０はＸＭＬデコーダ２２２を含んでもよい。
【００３６】
ＸＭＬデコーダ２２２は、実感装置２３０から受信された実感装置特性メタデータを復号化してもよい。一実施形態に係るＸＭＬデコーダ２２２は、実感装置特性メタデータを復号化して実感装置２３０の特性に対する特性情報を抽出してもよい。また、ＸＭＬデコーダ２２２は、実感装置２３０から受信されたユーザ実感嗜好メタデータを復号化してもよい。一実施形態に係るＸＭＬデコーダ２２２は、ユーザ実感嗜好メタデータを復号化して実感効果に対するユーザの嗜好情報を抽出してもよい。
【００３７】
実感効果制御装置２２０はＸＭＬエンコーダ２２３を含んでもよい。ＸＭＬエンコーダ２２３は、実感装置２３０による効果イベントの実行を制御する命令情報をＸＭＬ形態に符号化して実感装置命令メタデータを生成してもよい。ここで、実感効果制御装置２２０は、実感装置２３０にＸＭＬ形態に符号化された実感装置命令メタデータを送信してもよい。
【００３８】
実感装置２３０はＸＭＬデコーダ２３２を含んでもよい。ＸＭＬデコーダ２３２は、実感効果制御装置２２０から受信された実感装置命令メタデータを復号化してもよい。一実施形態に係るＸＭＬデコーダ２３２は、実感装置命令メタデータを復号化して命令情報を抽出してもよい。
【００３９】
図３を参照すると、本発明の一実施形態に係る実感効果処理システム３００は、実感メディア再生装置３１０、実感効果制御装置３２０及び実感装置３３０を備える。実感メディア再生装置３１０は、２進エンコーダ（Ｂｉｎａｒｙ  Ｅｎｃｏｄｅｒ）３１１を含んでもよい。
【００４０】
２進エンコーダ３１１は、実感効果情報を２進数フォーマットに符号化して実感効果メタデータを生成する。ここで、実感メディア再生装置３１０は、実感効果制御装置３２０に２進数フォーマットに符号化された実感効果メタデータを送信してもよい。
【００４１】
実感効果制御装置３２０は、２進デコーダ（Ｂｉｎａｒｙ  Ｄｅｃｏｄｅｒ）３２１を含んでもよい。２進デコーダ３２１は、実感メディア再生装置３１０から受信された実感効果メタデータを復号化する。一実施形態に係る２進デコーダ３２１は実感効果メタデータを復号化して実感効果情報を抽出してもよい。
【００４２】
実感装置３３０は２進エンコーダ３３１を含んでもよい。２進エンコーダ３３１は、実感装置３３０の特性に対する特性情報を２進数フォーマットに符号化して実感装置特性メタデータを生成する。ここで、実感装置３３０は、実感効果制御装置３２０に２進数フォーマットに符号化された実感装置特性メタデータを送信してもよい。
【００４３】
本発明の一側面によれば、２進エンコーダ３３１は、ユーザの実感効果に対する嗜好情報を２進数フォーマットに符号化してユーザ実感嗜好メタデータを生成する。ここで、実感装置３３０は、実感効果制御装置３２０で２進数フォーマットに符号化されたユーザ実感嗜好メタデータを送信してもよい。実感効果制御装置３２０は２進デコーダ３２２を含んでもよい。
【００４４】
２進デコーダ３２２は、実感装置３３０から受信された実感装置特性メタデータを復号化してもよい。一実施形態に係る２進デコーダ３２２は、実感装置特性メタデータを復号化して実感装置３３０の特性に対する特性情報を抽出する。また、２進デコーダ３２２は、実感装置３３０から受信されたユーザ実感嗜好メタデータを復号化してもよい。一実施形態に係る２進デコーダ３２２は、ユーザ実感嗜好メタデータを復号化して実感効果に対するユーザの嗜好情報を抽出してもよい。
【００４５】
実感効果制御装置３２０は２進エンコーダ３２３を含んでもよい。２進エンコーダ３２３は、実感装置３３０による効果イベントの実行を制御する命令情報を２進数フォーマットに符号化して実感装置命令メタデータを生成してもよい。ここで、実感効果制御装置３２０は、実感装置３３０に２進数フォーマットに符号化された実感装置命令メタデータを送信してもよい。実感装置３３０は２進デコーダ３３２を含んでもよい。２進デコーダ３３２は、実感効果制御装置３２０から受信された実感装置命令メタデータを復号化してもよい。一実施形態に係る２進デコーダ３３２は、実感装置命令メタデータを復号化して命令情報を抽出する。
【００４６】
図４を参照すると、本発明の一実施形態に係る実感効果処理システム４００は、実感メディア再生装置４１０、実感効果制御装置４２０及び実感装置４３０を備える。実感メディア再生装置４１０は、ＸＭＬエンコーダ４１１及び２進エンコーダ４１２を含む。
【００４７】
ＸＭＬエンコーダ４１１は、実感効果情報をＸＭＬ形態に符号化して第３メタデータを生成する。また、２進エンコーダ４１２は、第３メタデータを２進数フォーマットに符号化して実感効果メタデータを生成する。ここで、実感メディア再生装置４１０は実感効果制御装置４２０で実感効果メタデータを送信してもよい。
【００４８】
実感効果制御装置４２０は、２進デコーダ４２１及びＸＭＬデコーダ４２２を含む。２進デコーダ４２１は、実感メディア再生装置４１０から受信された実感効果メタデータを復号化して第３メタデータを抽出する。また、ＸＭＬデコーダ４２２は、第３メタデータを復号化して実感効果情報を抽出する。
【００４９】
実感装置４３０はＸＭＬエンコーダ４３１及び２進エンコーダ４３２を含む。ＸＭＬエンコーダ４３１は、実感装置４３０の特性に対する特性情報をＸＭＬ形態に符号化して第２メタデータを生成する。また、２進エンコーダ４３２は、第２メタデータを２進数フォーマットに符号化して実感装置特性メタデータを生成する。ここで、実感装置４３０は実感効果制御装置４２０で実感装置特性メタデータを送信してもよい。
【００５０】
本発明の一側面によれば、ＸＭＬエンコーダ４３１は、ユーザの実感効果に対する嗜好情報をＸＭＬ形態に符号化して第４メタデータを生成してもよい。また、２進エンコーダ４３２は、第４メタデータを２進数フォーマットに符号化してユーザ実感嗜好メタデータを生成してもよい。ここで、実感装置４３０は、実感効果制御装置４２０にユーザ実感嗜好メタデータを送信してもよい。実感効果制御装置４２０は、２進デコーダ４２３及びＸＭＬデコーダ４２４を含んでもよい。
【００５１】
２進デコーダ４２３は、実感装置４３０から受信された実感装置特性メタデータを復号化して第２メタデータを抽出する。また、ＸＭＬデコーダ４２４は、第２メタデータを復号化して実感装置４３０の特性に対する特性情報を抽出する。
【００５２】
また、２進デコーダ４２３は、実感装置４３０から受信されたユーザ実感嗜好メタデータを復号化して第４メタデータを抽出してもよい。また、ＸＭＬデコーダ４２４は、第４メタデータを復号化して実感効果に対するユーザの嗜好情報を抽出してもよい。
【００５３】
実感効果制御装置４２０は、ＸＭＬエンコーダ４２５及び２進エンコーダ４２６を含んでもよい。ＸＭＬエンコーダ４２５は、実感装置４３０による効果イベントの実行を制御する命令情報をＸＭＬ形態に符号化して第１メタデータを生成する。また、２進エンコーダ４２６は、第１メタデータを２進数フォーマットに符号化して実感装置命令メタデータを生成する。ここで、実感効果制御装置４２０は実感装置４３０で実感装置命令メタデータを送信してもよい。
【００５４】
実感装置４３０は、２進デコーダ４３３及びＸＭＬデコーダ４３４を含んでもよい。２進デコーダ４３３は、実感効果制御装置４２０から受信された実感装置命令メタデータを復号化して第１メタデータを抽出する。また、ＸＭＬデコーダ４３４は第１メタデータを復号化して命令情報を抽出する。
【００５５】
図５は、本発明の一実施形態に係る実感装置の構成を示す図である。図５を参照すると、本発明の一実施形態に係る実感装置５３０は、復号化部５３１及び駆動部５３２を備える。
【００５６】
復号化部５３１は、少なくとも１つの実感効果情報を含む実感装置命令メタデータを復号化する。すなわち、復号化部５３１は、実感装置命令メタデータを復号化して少なくとも１つの実感効果情報を抽出してもよい。
【００５７】
実感装置命令メタデータは、実感効果制御装置５２０から受信してもよい。実施形態によって、実感装置命令メタデータは命令情報を含んでもよい。
【００５８】
一実施形態に係る復号化部５３１は、実感装置命令メタデータを復号化して命令情報を抽出してもよい。駆動部５３２は、少なくとも１つの実感効果情報に対応する効果イベントを行う。一実施形態に係る駆動部５３２は命令情報に基づいて効果イベントを行う。
【００５９】
実感メディア再生装置５１０で再生するコンテンツは、少なくとも１つの実感効果情報を含む。本発明の一側に係る実感装置５３０は、符号化部５３３をさらに含んでもよい。符号化部５３３は、実感装置５３０の特性に対する特性情報を実感装置特性メタデータに符号化する。すなわち、符号化部５３３は、特性情報を符号化して実感装置特性メタデータを生成してもよい。符号化部５３３は、ＸＭＬエンコーダ及び２進エンコーダのうち少なくとも１つを含んでもよい。
【００６０】
一実施形態に係る符号化部５３３は、特性情報をＸＭＬ形態に符号化して実感装置特性メタデータを生成してもよい。また、符号化部５３３は、特性情報を２進数フォーマットに符号化して実感装置特性メタデータを生成してもよい。また、符号化部５３３は、特性情報をＸＭＬ形態に符号化して第２メタデータを生成し、第２メタデータを２進数フォーマットに符号化して実感装置特性メタデータを生成してもよい。
【００６１】
特性情報は実感装置５３０の特性に関する情報であってもよい。本発明の一側面によれば、実感装置特性メタデータは、実感装置５３０に対する基本的な特性情報を示す実感装置特性基本タイプ（Ｓｅｎｓｏｒｙ  Ｄｅｖｉｃｅ  Ｃａｐａｂｉｌｉｔｙ  Ｂａｓｅ  Ｔｙｐｅ）を含んでもよい。実感装置特性基本タイプは、全ての実感装置５３０に共通して適用される特性情報に対するメタデータであってもよい。
【００６２】
表１は、一実施形態に係る実感装置特性基本タイプに対するＸＭＬ符号化シンタックス（ＸＭＬ  Ｒｅｐｒｅｓｅｎｔａｔｉｏｎ  Ｓｙｎｔａｘ）を示す。
【００６３】
【表１】
2013538469.tif 000003
表２は、一実施形態に係る実感装置特性基本タイプに対する２進符号化シンタックス（Ｂｉｎａｒｙ  Ｒｅｐｒｅｓｅｎｔａｔｉｏｎ  Ｓｙｎｔａｘ）を示す。
【００６４】
【表２】
2013538469.tif 000004
表３は、一実施形態に係る実感装置特性基本タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【００６５】
【表３】
2013538469.tif 000005
本発明の一側面によれば、実感装置特性メタデータは、実感装置５３０の共通的な属性（Ｃｏｍｍｏｎ  Ａｔｔｒｉｂｕｔｅｓ）に対するグループを示す実感装置特性基本属性（Ｓｅｎｓｏｒｙ  Ｄｅｖｉｃｅ  Ｃａｐａｂｉｌｉｔｙ  Ｂａｓｅ  Ａｔｔｒｉｂｕｔｅｓ）を含んでもよい。
【００６６】
表４は、一実施形態に係る実感装置特性基本属性に対するＸＭＬ符号化シンタックス（ＸＭＬ  Ｒｅｐｒｅｓｅｎｔａｔｉｏｎ  Ｓｙｎｔａｘ）を示す。
【００６７】
【表４】
2013538469.tif 000006
表５は、一実施形態に係る実感装置特性基本属性に対する２進符号化シンタックス（Ｂｉｎａｒｙ  Ｒｅｐｒｅｓｅｎｔａｔｉｏｎ  Ｓｙｎｔａｘ）を示す。
【００６８】
【表５】
2013538469.tif 000007
表６は、一実施形態に係る実感装置特性基本属性のうち位置タイプ（Ｌｏｃａｔｉｏｎ  Ｔｙｐｅ）に対する２進符号化を示す。
【００６９】
【表６】
2013538469.tif 000008
表７は、一実施形態に係る実感装置特性基本属性に対する記述語構成意味論（Ｄｅｓｃｒｉｐｔｏｒ  Ｃｏｍｐｏｎｅｎｔｓ  Ｓｅｍａｎｔｉｃｓ）を示す。
【００７０】
【表７】
2013538469.tif 000009
本発明の一側面によれば、実感装置処理システムはＭＰＥＧ−Ｖ情報（ＭＰＥＧ−Ｖ  Ｉｎｆｏｒｍａｔｉｏｎ）を含んでもよい。
【００７１】
表７−１は一実施形態に係るＭＰＥＧ−Ｖ情報に対する２進符号化シンタックスを示す。
【００７２】
【表８】
2013538469.tif 000010
表７−２は、一実施形態に係るＭＰＥＧ−Ｖ情報に対する記述語構成意味論を示す。
【００７３】
【表９】
2013538469.tif 000011
本発明の一側面によれば、実感装置５３０は、効果イベントを行う駆動部５３２のタイプ（Ｔｙｐｅ）に応じて複数の類型に分類されてもよい。
【００７４】
一実施形態に係る実感装置５３０は、光類型（Ｌｉｇｈｔ  Ｔｙｐｅ）、フラッシュ類型（Ｆｌａｓｈ  Ｔｙｐｅ）、ヒーティング類型（Ｈｅａｔｉｎｇ  Ｔｙｐｅ）、クーリング類型（Ｃｏｏｌｉｎｇ  Ｔｙｐｅ）、風類型（Ｗｉｎｄ  Ｔｙｐｅ）、振動類型（Ｖｉｂｒａｔｉｏｎ  Ｔｙｐｅ）、匂い類型（Ｓｃｅｎｔ  Ｔｙｐｅ）、霧類型（Ｆｏｇ  Ｔｙｐｅ）、スプレイ類型（Ｓｐｒａｙｅｒ  Ｔｙｐｅ）、色彩矯正類型（Ｃｏｌｏｒ  Ｃｏｒｒｅｃｔｉｏｎ  Ｔｙｐｅ）、触覚類型（Ｔａｃｔｉｌｅ  Ｔｙｐｅ）、筋感覚類型（Ｋｉｎｅｓｔｈｅｔｉｃ  Ｔｙｐｅ）及び剛体モーション類型（ＲｉｇｉｄＢｏｄｙ  Ｍｏｔｉｏｎ  Ｔｙｐｅ）を含んでもよい。
【００７５】
表７−２は、実感装置５３０の個々の類型に対する２進符号化を示す。
【００７６】
【表１０】
2013538469.tif 000012
以下、個々の実感装置に対する特性情報について詳説する。
【００７７】
表８は、一実施形態に係る光類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【００７８】
【表１１】
2013538469.tif 000013
表９は、一実施形態に係る光類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【００７９】
【表１２】
2013538469.tif 000014
表１０は、一実施形態に係る光類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【００８０】
【表１３】
2013538469.tif 000015
表１１は、一実施形態に係るフラッシュ類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【００８１】
【表１４】
2013538469.tif 000016
表１２は、一実施形態に係るフラッシュ類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【００８２】
【表１５】
2013538469.tif 000017
表１３は、一実施形態に係るフラッシュ類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【００８３】
【表１６】
2013538469.tif 000018
表１４は、一実施形態に係るヒーティング類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【００８４】
【表１７】
2013538469.tif 000019
表１５は、一実施形態に係るヒーティング類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【００８５】
【表１８】
2013538469.tif 000020
表１６は、一実施形態に係るヒーティング類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【００８６】
【表１９】
2013538469.tif 000021
表１７は、一実施形態に係るクーリング類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【００８７】
【表２０】
2013538469.tif 000022
表１８は、一実施形態に係るクーリング類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【００８８】
【表２１】
2013538469.tif 000023
表１９は、一実施形態に係るクーリング類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【００８９】
【表２２】
2013538469.tif 000024
表２０は、一実施形態に係る風類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【００９０】
【表２３】
2013538469.tif 000025
表２１は、一実施形態に係る風類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【００９１】
【表２４】
2013538469.tif 000026
表２２は、一実施形態に係る風類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【００９２】
【表２５】
2013538469.tif 000027
表２３は、一実施形態に係る振動類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【００９３】
【表２６】
2013538469.tif 000028
表２４は、一実施形態に係る振動類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【００９４】
【表２７】
2013538469.tif 000029
表２５は、一実施形態に係る振動類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【００９５】
【表２８】
2013538469.tif 000030
表２６は、一実施形態に係る匂い類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【００９６】
【表２９】
2013538469.tif 000031
表２７は、一実施形態に係る匂い類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【００９７】
【表３０】
2013538469.tif 000032
表２８は、一実施形態に係る匂い類型に対する２進符号化を示す。
【００９８】
【表３１】
2013538469.tif 000033
表２９は、一実施形態に係る匂い類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【００９９】
【表３２】
2013538469.tif 000034
表３０は、一実施形態に係る霧類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【０１００】
【表３３】
2013538469.tif 000035
表３１は、一実施形態に係る霧類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【０１０１】
【表３４】
2013538469.tif 000036
表３２は、一実施形態に係る霧類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【０１０２】
【表３５】
2013538469.tif 000037
表３３は、一実施形態に係るスプレイ類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【０１０３】
【表３６】
2013538469.tif 000038
表３４は、一実施形態に係るスプレイ類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【０１０４】
【表３７】
2013538469.tif 000039
表３５は、一実施形態に係るスプレイ類型に対する２進符号化を示す。
【０１０５】
【表３８】
2013538469.tif 000040
表３６は、一実施形態に係るスプレイ類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【０１０６】
【表３９】
2013538469.tif 000041
表３７は、一実施形態に係る色彩矯正類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【０１０７】
【表４０】
2013538469.tif 000042
表３８は、一実施形態に係る色彩矯正類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【０１０８】
【表４１】
2013538469.tif 000043
表３９は、一実施形態に係る色彩矯正類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【０１０９】
【表４２】
2013538469.tif 000044
表４０は、一実施形態に係る触覚類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【０１１０】
【表４３】
2013538469.tif 000045
表４１は、一実施形態に係る触覚類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【０１１１】
【表４４】
2013538469.tif 000046
2013538469.tif 000047
表４２は、一実施形態に係る触覚ディスプレイ類型に対する２進符号化を示す。
【０１１２】
【表４５】
2013538469.tif 000048
表４３は、一実施形態に係る触覚類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【０１１３】
【表４６】
2013538469.tif 000049
2013538469.tif 000050
表４４は、一実施形態に係る筋感覚類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【０１１４】
【表４７】
2013538469.tif 000051
表４５は、一実施形態に係る筋感覚類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【０１１５】
【表４８】
2013538469.tif 000052
2013538469.tif 000053
表４６は、一実施形態に係る筋感覚類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【０１１６】
【表４９】
2013538469.tif 000054
2013538469.tif 000055
2013538469.tif 000056
表４７は、一実施形態に係る剛体モーション類型の実感装置に対する特性情報のＸＭＬ符号化シンタックス（ＸＭＬ  Ｒｅｐｒｅｓｅｎｔａｔｉｏｎ  Ｓｙｎｔａｘ）を示す。
【０１１７】
【表５０】
2013538469.tif 000057
2013538469.tif 000058
表４８は、一実施形態に係る剛体モーション類型の実感装置に対する特性情報の２進符号化シンタックス（Ｂｉｎａｒｙ  Ｒｅｐｒｅｓｅｎｔａｔｉｏｎ  Ｓｙｎｔａｘ）を示す。
【０１１８】
【表５１】
2013538469.tif 000059
2013538469.tif 000060
2013538469.tif 000061
2013538469.tif 000062
表４９は、一実施形態に係る剛体モーション類型の実感装置に対する特性情報の記述語構成意味論（Ｄｅｓｃｒｉｐｔｏｒ  Ｃｏｍｐｏｎｅｎｔｓ  Ｓｅｍａｎｔｉｃｓ）を示す。
【０１１９】
【表５２】
2013538469.tif 000063
2013538469.tif 000064
2013538469.tif 000065
2013538469.tif 000066
2013538469.tif 000067
2013538469.tif 000068
2013538469.tif 000069
2013538469.tif 000070
本発明の一側面によれば、符号化部５３３は、ユーザの実感効果に対する嗜好情報をユーザ実感嗜好メタデータに符号化する。すなわち、符号化部５３３は、嗜好情報を符号化してユーザ実感嗜好メタデータを生成する。符号化部５３３は、ＸＭＬエンコーダ及び２進エンコーダのうち少なくとも１つを含んでもよい。
【０１２０】
一実施形態に係る符号化部５３３は、嗜好情報をＸＭＬ形態に符号化してユーザ実感嗜好メタデータを生成してもよい。また、符号化部５３３は、嗜好情報を２進数フォーマットに符号化してユーザ実感嗜好メタデータを生成してもよい。また、符号化部５３３は、嗜好情報をＸＭＬ形態に符号化して第４メタデータを生成し、第４メタデータを２進数フォーマットに符号化してユーザ実感嗜好メタデータを生成してもよい。
【０１２１】
実施形態によって実感装置５３０は入力部５３４をさらに備えてもよい。入力部５３４は、実感装置５３０のユーザから嗜好情報が入力される。
【０１２２】
本発明の一側面によれば、ユーザ実感嗜好メタデータはユーザの実感効果に対する基本的な嗜好情報を示すユーザ実感嗜好基本タイプ（Ｕｓｅｒ  Ｓｅｎｓｏｒｙ  Ｐｒｅｆｅｒｅｎｃｅ  Ｂａｓｅ  Ｔｙｐｅ）を含んでもよい。ユーザ実感嗜好基本タイプは、全てのユーザに共通して適用される嗜好情報に対するメタデータであってもよい。
【０１２３】
表５０は、一実施形態に係るユーザ実感嗜好基本タイプに対するＸＭＬ符号化シンタックス（ＸＭＬ  Ｒｅｐｒｅｓｅｎｔａｔｉｏｎ  Ｓｙｎｔａｘ）を示す。
【０１２４】
【表５３】
2013538469.tif 000071
表５１は、一実施形態に係るユーザ実感嗜好基本タイプに対する２進符号化シンタックス（Ｂｉｎａｒｙ  Ｒｅｐｒｅｓｅｎｔａｔｉｏｎ  Ｓｙｎｔａｘ）を示す。
【０１２５】
【表５４】
2013538469.tif 000072
表５２は、一実施形態に係るユーザ実感嗜好基本タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０１２６】
【表５５】
2013538469.tif 000073
本発明の一側面によれば、ユーザ実感嗜好メタデータはユーザの実感効果に対する嗜好情報の共通的な属性（Ｃｏｍｍｏｎ  Ａｔｔｒｉｂｕｔｅｓ）に対するグループを示すユーザ実感嗜好基本属性（Ｕｓｅｒ  Ｓｅｎｓｏｒｙ  Ｐｒｅｆｅｒｅｎｃｅ  Ｂａｓｅ  Ａｔｔｒｉｂｕｔｅｓ）を含んでもよい。
【０１２７】
表５３は、一実施形態に係るユーザ実感嗜好基本属性に対するＸＭＬ符号化シンタックス（ＸＭＬ  Ｒｅｐｒｅｓｅｎｔａｔｉｏｎ  Ｓｙｎｔａｘ）を示す。
【０１２８】
【表５６】
2013538469.tif 000074
表５４は、一実施形態に係るユーザ実感嗜好基本属性に対する２進符号化シンタックス（Ｂｉｎａｒｙ  Ｒｅｐｒｅｓｅｎｔａｔｉｏｎ  Ｓｙｎｔａｘ）を示す。
【０１２９】
【表５７】
2013538469.tif 000075
表５５は、一実施形態に係るユーザ実感嗜好基本属性のうち適応モードタイプ（Ａｄａｐｔａｔｉｏｎ  Ｍｏｄｅ  Ｔｙｐｅ）に対する２進符号化を示す。
【０１３０】
【表５８】
2013538469.tif 000076
表５６は、一実施形態に係るユーザ実感選好基本属性に対する記述語構成意味論（Ｄｅｓｃｒｉｐｔｏｒ  Ｃｏｍｐｏｎｅｎｔｓ  Ｓｅｍａｎｔｉｃｓ）を示す。
【０１３１】
【表５９】
2013538469.tif 000077
以下、個々の実感装置に対する嗜好情報について詳説する。
【０１３２】
表５７は、一実施形態に係る光類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１３３】
【表６０】
2013538469.tif 000078
表５８は、一実施形態に係る光類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１３４】
【表６１】
2013538469.tif 000079
表５９は、一実施形態に係るユニットＣＳ（Ｕｎｉｔ  ＣＳ）に対する２進符号化を示す。
【０１３５】
【表６２】
2013538469.tif 000080
2013538469.tif 000081
2013538469.tif 000082
表６０は、一実施形態に係る光類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１３６】
【表６３】
2013538469.tif 000083
表６１は、一実施形態に係るフラッシュ類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１３７】
【表６４】
2013538469.tif 000084
表６２は、一実施形態に係るフラッシュ類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１３８】
【表６５】
2013538469.tif 000085
表６３は、一実施形態に係るフラッシュ類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１３９】
【表６６】
2013538469.tif 000086
表６４は、一実施形態に係るヒーティング類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１４０】
【表６７】
2013538469.tif 000087
表６５は、一実施形態に係るヒーティング類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１４１】
【表６８】
2013538469.tif 000088
表６６は、一実施形態に係るヒーティング類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１４２】
【表６９】
2013538469.tif 000089
表６７は、一実施形態に係るクーリング類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１４３】
【表７０】
2013538469.tif 000090
表６８は、一実施形態に係るクーリング類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１４４】
【表７１】
2013538469.tif 000091
表６９は、一実施形態に係るクーリング類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１４５】
【表７２】
2013538469.tif 000092
表７０は、一実施形態に係る風類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１４６】
【表７３】
2013538469.tif 000093
表７１は、一実施形態に係る風類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１４７】
【表７４】
2013538469.tif 000094
表７２は、一実施形態に係る風類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１４８】
【表７５】
2013538469.tif 000095
表７３は、一実施形態に係る振動類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１４９】
【表７６】
2013538469.tif 000096
表７４は、一実施形態に係る振動類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１５０】
【表７７】
2013538469.tif 000097
表７５は、一実施形態に係る振動類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１５１】
【表７８】
2013538469.tif 000098
表７６は、一実施形態に係る匂い類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１５２】
【表７９】
2013538469.tif 000099
表７７は、一実施形態に係る匂い類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１５３】
【表８０】
2013538469.tif 000100
表７８は、一実施形態に係る匂い類型に対する２進符号化を示す。
【０１５４】
【表８１】
2013538469.tif 000101
表７９は、一実施形態に係る匂い類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１５５】
【表８２】
2013538469.tif 000102
表８０は、一実施形態に係る霧類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１５６】
【表８３】
2013538469.tif 000103
表８１は、一実施形態に係る霧類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１５７】
【表８４】
2013538469.tif 000104
表８２は、一実施形態に係る霧類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１５８】
【表８５】
2013538469.tif 000105
表８３は、一実施形態に係るスプレイ類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１５９】
【表８６】
2013538469.tif 000106
表８４は、一実施形態に係るスプレイ類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１６０】
【表８７】
2013538469.tif 000107
表８５は、一実施形態に係るスプレイ類型に対する２進符号化を示す。
【０１６１】
【表８８】
2013538469.tif 000108
表８６は、一実施形態に係るスプレイ類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１６２】
【表８９】
2013538469.tif 000109
表８７は、一実施形態に係る色彩矯正類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１６３】
【表９０】
2013538469.tif 000110
表８８は、一実施形態に係る色彩矯正類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１６４】
【表９１】
2013538469.tif 000111
表８９は、一実施形態に係る色彩矯正類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１６５】
【表９２】
2013538469.tif 000112
表９０は、一実施形態に係る触覚類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１６６】
【表９３】
2013538469.tif 000113
表９１は、一実施形態に係る触覚類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１６７】
【表９４】
2013538469.tif 000114
表９２は、一実施形態に係る触覚類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１６８】
【表９５】
2013538469.tif 000115
2013538469.tif 000116
表９３は、一実施形態に係る筋感覚類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１６９】
【表９６】
2013538469.tif 000117
表９４は、一実施形態に係る筋感覚類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１７０】
【表９７】
2013538469.tif 000118
表９５は、一実施形態に係る筋感覚類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１７１】
【表９８】
2013538469.tif 000119
表９６は、一実施形態に係る剛体モーション類型の実感装置に対する嗜好情報のＸＭＬ符号化シンタックス（ＸＭＬ  Ｒｅｐｒｅｓｅｎｔａｔｉｏｎ  Ｓｙｎｔａｘ）を示す。
【０１７２】
【表９９】
2013538469.tif 000120
2013538469.tif 000121
2013538469.tif 000122
表９７は、一実施形態に係る剛体モーション類型の実感装置に対する嗜好情報の２進符号化シンタックス（Ｂｉｎａｒｙ  Ｒｅｐｒｅｓｅｎｔａｔｉｏｎ  Ｓｙｎｔａｘ）を示す。
【０１７３】
【表１００】
2013538469.tif 000123
2013538469.tif 000124
2013538469.tif 000125
表９８は、一実施形態に係る剛体モーション類型の実感装置に対する嗜好情報の記述語構成意味論（Ｄｅｓｃｒｉｐｔｏｒ  Ｃｏｍｐｏｎｅｎｔｓ  Ｓｅｍａｎｔｉｃｓ）を示す。
【０１７４】
【表１０１】
2013538469.tif 000126
2013538469.tif 000127
2013538469.tif 000128
2013538469.tif 000129
2013538469.tif 000130
2013538469.tif 000131
2013538469.tif 000132
2013538469.tif 000133
図６は、本発明の一実施形態に係る実感効果制御装置の構成を示す図である。図６を参照すると、本発明の一実施形態に係る実感効果制御装置６２０は、復号化部６２１、生成部６２２及び符号化部６２３を備える。
【０１７５】
復号化部６２１は、実感効果メタデータ及び実感装置特性メタデータを復号化する。実感効果制御装置６２０は、実感メディア再生装置６１０から実感効果メタデータを受信し、実感装置６３０から実感装置特性メタデータを受信してもよい。
【０１７６】
一実施形態に係る復号化部６２１は、実感効果メタデータを復号化して実感効果情報を抽出してもよい。また、復号化部６２１は、実感装置特性メタデータを復号化して実感装置６３０に対する特性情報を抽出してもよい。
【０１７７】
復号化部６２１は、ＸＭＬデコーダ及び２進デコーダのうち少なくともいずれか１つを含む。一実施形態に係る復号化部６２１は、図２を参照して説明したＸＭＬデコーダ２２１、図３を参照して説明した２進デコーダ３２１及び図４を参照して説明した２進デコーダ４２１、ＸＭＬデコーダ４２２のうち少なくともいずれか１つを含んでもよい。
【０１７８】
生成部６２２は、デコードされた実感効果メタデータ及びデコードされた実感装置特性メタデータに基づいて実感装置６３０を制御する命令情報を生成する。
【０１７９】
命令情報は、実感装置６３０による実感効果情報に対応する効果イベントの実行を制御する情報であってもよい。本発明の一側面によれば、実感効果制御装置６２０は受信部（図示せず）をさらに備えてもよい。受信部は、実感装置６３０からユーザ実感嗜好メタデータを受信する。
【０１８０】
ここで、復号化部６２１は、ユーザ実感嗜好メタデータを復号化する。すなわち、復号化部６２１は、ユーザ実感嗜好メタデータを復号化して実感効果に対するユーザの嗜好情報を抽出してもよい。
【０１８１】
また、生成部６２２は、デコードされた実感効果メタデータ、デコードされた実感装置特性メタデータ、及びデコードされたユーザ実感嗜好メタデータに基づいて実感装置６３０を制御する命令情報を生成する。
【０１８２】
符号化部６２３は、命令情報を実感装置命令メタデータに符号化する。すなわち、符号化部６２３は、命令情報を符号化して実感装置命令メタデータを生成してもよい。符号化部６２３は、ＸＭＬエンコーダ及び２進エンコーダのうち少なくとも１つを含んでもよい。一実施形態に係る符号化部６２３は、命令情報をＸＭＬ形態に符号化して実感装置命令メタデータを生成してもよい。また、符号化部６２３は、命令情報を２進数フォーマットに符号化して実感装置命令メタデータを生成してもよい。また、符号化部６２３は、命令情報をＸＭＬ形態に符号化して第１メタデータを生成し、第１メタデータを２進数フォーマットに符号化して実感装置命令メタデータを生成してもよい。
【０１８３】
本発明の一側面によれば、実感装置命令メタデータは、実感装置６３０を制御する基本的な命令情報を示す実感装置命令基本タイプ（Ｓｅｎｓｏｒｙ  Ｄｅｖｉｃｅ  Ｃｏｍｍａｎｄ  Ｂａｓｅ  Ｔｙｐｅ）を含む。実感装置命令基本タイプは、全ての実感装置６３０の制御に共通して適用される命令情報に対するメタデータであってもよい。
【０１８４】
表９９は、一実施形態に係る実感装置命令基本タイプに対するＸＭＬ符号化シンタックス（ＸＭＬ  Ｒｅｐｒｅｓｅｎｔａｔｉｏｎ  Ｓｙｎｔａｘ）を示す。
【０１８５】
【表１０２】
2013538469.tif 000134
表１００は、一実施形態に係る実感装置命令基本タイプに対する２進符号化シンタックス（Ｂｉｎａｒｙ  Ｒｅｐｒｅｓｅｎｔａｔｉｏｎ  Ｓｙｎｔａｘ）を示す。
【０１８６】
【表１０３】
2013538469.tif 000135
表１０１は、一実施形態に係る実感装置命令基本タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０１８７】
【表１０４】
2013538469.tif 000136
本発明の一側面によれば、実感装置命令メタデータは、命令情報の共通的な属性（Ｃｏｍｍｏｎ  Ａｔｔｒｉｂｕｔｅｓ）に対するグループを示す実感装置命令基本属性（Ｓｅｎｓｏｒｙ  Ｄｅｖｉｃｅ  Ｃｏｍｍａｎｄ  Ｂａｓｅ  Ａｔｔｒｉｂｕｔｅｓ）を含んでもよい。
【０１８８】
表１０２は、一実施形態に係る実感装置命令基本属性に対するＸＭＬ符号化シンタックス（ＸＭＬ  Ｒｅｐｒｅｓｅｎｔａｔｉｏｎ  Ｓｙｎｔａｘ）を示す。
【０１８９】
【表１０５】
2013538469.tif 000137
表１０３は、一実施形態に係る実感装置命令基本属性に対する２進符号化シンタックス（Ｂｉｎａｒｙ  Ｒｅｐｒｅｓｅｎｔａｔｉｏｎ  Ｓｙｎｔａｘ）を示す。
【０１９０】
【表１０６】
2013538469.tif 000138
表１０４は、一実施形態に係る実感装置命令基本属性に対する記述語構成意味論（Ｄｅｓｃｒｉｐｔｏｒ  Ｃｏｍｐｏｎｅｎｔｓ  Ｓｅｍａｎｔｉｃｓ）を示す。
【０１９１】
【表１０７】
2013538469.tif 000139
以下、個々の実感装置に対する命令情報について詳説する。
【０１９２】
表１０５は、一実施形態に係る光類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０１９３】
【表１０８】
2013538469.tif 000140
表１０６は、一実施形態に係る光類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０１９４】
【表１０９】
2013538469.tif 000141
表１０７は、一実施形態に係る色彩ＣＳ（Ｃｏｌｏｒ  ＣＳ）に対する２進表現を示す。
【０１９５】
【表１１０】
2013538469.tif 000142
2013538469.tif 000143
2013538469.tif 000144
2013538469.tif 000145
2013538469.tif 000146
2013538469.tif 000147
2013538469.tif 000148
2013538469.tif 000149
2013538469.tif 000150
2013538469.tif 000151
2013538469.tif 000152
表１０８は、一実施形態に係る光類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０１９６】
【表１１１】
2013538469.tif 000153
表１０９は、一実施形態に係るフラッシュ類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０１９７】
【表１１２】
2013538469.tif 000154
表１１０は、一実施形態に係るフラッシュ類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０１９８】
【表１１３】
2013538469.tif 000155
表１１１は、一実施形態に係るフラッシュ類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０１９９】
【表１１４】
2013538469.tif 000156
表１１２は、一実施形態に係るヒーティング類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２００】
【表１１５】
2013538469.tif 000157
表１１３は、一実施形態に係るヒーティング類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２０１】
【表１１６】
2013538469.tif 000158
表１１４は、一実施形態に係るヒーティング類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２０２】
【表１１７】
2013538469.tif 000159
表１１５は、一実施形態に係るクーリング類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２０３】
【表１１８】
2013538469.tif 000160
表１１６は、一実施形態に係るクーリング類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２０４】
【表１１９】
2013538469.tif 000161
表１１７は、一実施形態に係るクーリング類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２０５】
【表１２０】
2013538469.tif 000162
表１１８は、一実施形態に係る風類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２０６】
【表１２１】
2013538469.tif 000163
表１１９は、一実施形態に係る風類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２０７】
【表１２２】
2013538469.tif 000164
表１２０は、一実施形態に係る風類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２０８】
【表１２３】
2013538469.tif 000165
表１２１は、一実施形態に係る振動類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２０９】
【表１２４】
2013538469.tif 000166
表１２２は、一実施形態に係る振動類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２１０】
【表１２５】
2013538469.tif 000167
表１２３は、一実施形態に係る振動類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２１１】
【表１２６】
2013538469.tif 000168
表１２４は、一実施形態に係る匂い類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２１２】
【表１２７】
2013538469.tif 000169
表１２５は、一実施形態に係る匂い類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２１３】
【表１２８】
2013538469.tif 000170
表１２６は、一実施形態に係る匂い類型に対する２進符号化を示す。
【０２１４】
【表１２９】
2013538469.tif 000171
表１２７は、一実施形態に係る匂い類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２１５】
【表１３０】
2013538469.tif 000172
表１２８は、一実施形態に係る霧類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２１６】
【表１３１】
2013538469.tif 000173
表１２９は、一実施形態に係る霧類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２１７】
【表１３２】
2013538469.tif 000174
表１３０は、一実施形態に係る霧類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２１８】
【表１３３】
2013538469.tif 000175
表１３１は、一実施形態に係るスプレイ類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２１９】
【表１３４】
2013538469.tif 000176
表１３２は、一実施形態に係るスプレイ類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２２０】
【表１３５】
2013538469.tif 000177
表１３３は、一実施形態に係るスプレイ類型に対する２進符号化を示す。
【０２２１】
【表１３６】
2013538469.tif 000178
表１３４は、一実施形態に係るスプレイ類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２２２】
【表１３７】
2013538469.tif 000179
表１３５は、一実施形態に係る色彩矯正類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２２３】
【表１３８】
2013538469.tif 000180
表１３６は、一実施形態に係る色彩矯正類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２２４】
【表１３９】
2013538469.tif 000181
表１３７は、一実施形態に係る色彩矯正類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２２５】
【表１４０】
2013538469.tif 000182
表１３８は、一実施形態に係る触覚類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２２６】
【表１４１】
2013538469.tif 000183
表１３９は、一実施形態に係る触覚類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２２７】
【表１４２】
2013538469.tif 000184
表１４０は、一実施形態に係る触覚類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２２８】
【表１４３】
2013538469.tif 000185
表１４１は、一実施形態に係る筋感覚類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２２９】
【表１４４】
2013538469.tif 000186
表１４２は、一実施形態に係る筋感覚類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２３０】
【表１４５】
2013538469.tif 000187
表１４３は、一実施形態に係る筋感覚類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２３１】
【表１４６】
2013538469.tif 000188
表１４４は、一実施形態に係る剛体モーション類型の実感装置に対する命令情報のＸＭＬ符号化シンタックス（ＸＭＬ  Ｒｅｐｒｅｓｅｎｔａｔｉｏｎ  Ｓｙｎｔａｘ）を示す。
【０２３２】
【表１４７】
2013538469.tif 000189
表１４５は、一実施形態に係る剛体モーション類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２３３】
【表１４８】
2013538469.tif 000190
2013538469.tif 000191
表１４６は、他の一実施形態に係る剛体モーション類型の実感装置に対する命令情報の２進符号化シンタックス（Ｂｉｎａｒｙ  Ｒｅｐｒｅｓｅｎｔａｔｉｏｎ  Ｓｙｎｔａｘ）を示す。
【０２３４】
【表１４９】
2013538469.tif 000192
表１４７は、一実施形態に係る剛体モーション類型の実感装置に対する命令情報の記述語構成意味論（Ｄｅｓｃｒｉｐｔｏｒ  Ｃｏｍｐｏｎｅｎｔｓ  Ｓｅｍａｎｔｉｃｓ）を示す。
【０２３５】
【表１５０】
2013538469.tif 000193
2013538469.tif 000194
2013538469.tif 000195
2013538469.tif 000196
本発明の一側面によれば、色彩矯正類型は初期色彩矯正パラメータ類型（Ｉｎｉｔｉａｌｉｚｅ  Ｃｏｌｏｒ  Ｃｏｒｒｅｃｔｉｏｎ  Ｐａｒａｍｅｔｅｒ  Ｔｙｐｅ）を含んでもよい。
【０２３６】
また、初期色彩矯正パラメートル類型は、トーン複写曲線類型（Ｔｏｎｅ  Ｒｅｐｒｏｄｕｃｔｉｏｎ  Ｃｕｒｖｅｓ  Ｔｙｐｅ）、変換ＬＵＴ類型（Ｃｏｎｖｅｒｓｉｏｎ  ＬＵＴ  Ｔｙｐｅ）、発光類型（ｉｌｌｕｍｉｎａｎｔ  Ｔｙｐｅ）及び入力装置色彩全体類型（Ｉｎｐｕｔ  Ｄｅｖｉｃｅ  Ｃｏｌｏｒ  Ｇａｍｕｔ  Ｔｙｐｅ）を含んでもよい。
【０２３７】
表１４８は、一実施形態に係る初期色彩矯正パラメータ類型のＸＭＬ符号化シンタックス（ＸＭＬ  Ｒｅｐｒｅｓｅｎｔａｔｉｏｎ  Ｓｙｎｔａｘ）を示す。
【０２３８】
【表１５１】
2013538469.tif 000197
表１４９は、一実施形態に係る初期色彩矯正パラメータ類型の２進符号化シンタックス（Ｂｉｎａｒｙ  Ｒｅｐｒｅｓｅｎｔａｔｉｏｎ  Ｓｙｎｔａｘ）を示す。
【０２３９】
【表１５２】
2013538469.tif 000198
表１５０は、一実施形態に係るトーン複写曲射類型の２進符号化シンタックス（Ｂｉｎａｒｙ  Ｒｅｐｒｅｓｅｎｔａｔｉｏｎ  Ｓｙｎｔａｘ）を示す。
【０２４０】
【表１５３】
2013538469.tif 000199
表１５１は、一実施形態に係る変換ＬＵＴ類型の２進符号化シンタックス（Ｂｉｎａｒｙ  Ｒｅｐｒｅｓｅｎｔａｔｉｏｎ  Ｓｙｎｔａｘ）を示す。
【０２４１】
【表１５４】
2013538469.tif 000200
表１５２は、一実施形態に係る発光類型の２進符号化シンタックス（Ｂｉｎａｒｙ  Ｒｅｐｒｅｓｅｎｔａｔｉｏｎ  Ｓｙｎｔａｘ）を示す。
【０２４２】
【表１５５】
2013538469.tif 000201
表１５３は、一実施形態に係る入力装置色彩全体類型の２進符号化シンタックス（Ｂｉｎａｒｙ  Ｒｅｐｒｅｓｅｎｔａｔｉｏｎ  Ｓｙｎｔａｘ）を示す。
【０２４３】
【表１５６】
2013538469.tif 000202
表１５４は、一実施形態に係る初期色彩矯正パラメータ類型の記述語構成意味論（Ｄｅｓｃｒｉｐｔｏｒ  Ｃｏｍｐｏｎｅｎｔｓ  Ｓｅｍａｎｔｉｃｓ）を示す。
【０２４４】
【表１５７】
2013538469.tif 000203
表１５５は、一実施形態に係るトーン複写曲線類型の記述語構成意味論（Ｄｅｓｃｒｉｐｔｏｒ  Ｃｏｍｐｏｎｅｎｔｓ  Ｓｅｍａｎｔｉｃｓ）を示す。
【０２４５】
【表１５８】
2013538469.tif 000204
表１５６は、一実施形態に係る変換ＬＵＴ類型の記述語構成意味論（Ｄｅｓｃｒｉｐｔｏｒ  Ｃｏｍｐｏｎｅｎｔｓ  Ｓｅｍａｎｔｉｃｓ）を示す。
【０２４６】
【表１５９】
2013538469.tif 000205
表１５７は、一実施形態に係る発光類型の記述語構成意味論（Ｄｅｓｃｒｉｐｔｏｒ  Ｃｏｍｐｏｎｅｎｔｓ  Ｓｅｍａｎｔｉｃｓ）を示す。
【０２４７】
【表１６０】
2013538469.tif 000206
表１５８は、一実施形態に係る入力装置色彩全体類型の記述語構成意味論（Ｄｅｓｃｒｉｐｔｏｒ  Ｃｏｍｐｏｎｅｎｔｓ  Ｓｅｍａｎｔｉｃｓ）を示す。
【０２４８】
【表１６１】
2013538469.tif 000207
図７Ａは、本発明の一実施形態に係る実感メディア再生装置の構成を示す図である。図７Ａを参照すると、本発明の一実施形態に係る実感効果情報を含むコンテンツを再生する実感メディア再生装置７１０は、抽出部７１１、符号化部７１２及び送信部７１３を備える。抽出部７１１は、コンテンツから実感効果情報を抽出する。実感装置７３０は、実感効果情報に対応する効果イベントを実現する。
【０２４９】
符号化部７１２は、抽出された実感効果情報を実感効果メタデータに符号化する。すなわち、符号化部７１２は、実感効果情報を符号化して実感効果メタデータを生成する。符号化部７１２は、ＸＭＬエンコーダ及び２進エンコーダのうち少なくとも１つを含んでもよい。送信部７１３は、符号化された実感効果メタデータを実感効果制御装置７２０に送信する。
【０２５０】
本発明の一側面によれば、実感効果メタデータは基本的な実感効果情報を示すＳＥＭ基本タイプ（ＳＥＭ  Ｂａｓｅ  Ｔｙｐｅ、Ｓｅｎｓｏｒｙ  Ｅｆｆｅｃｔ  Ｍｅｔａｄａｔａ  Ｂａｓｅ  Ｔｙｐｅ）を含んでもよい。
【０２５１】
表１５９は、一実施形態に係るＳＥＭ基本タイプに対するＸＭＬ符号化シンタックス（ＸＭＬ  Ｒｅｐｒｅｓｅｎｔａｔｉｏｎ  Ｓｙｎｔａｘ）を示す。
【０２５２】
【表１６２】
2013538469.tif 000208
表１６０は、一実施形態に係るＳＥＭ基本タイプに対する２進符号化シンタックス（Ｂｉｎａｒｙ  Ｒｅｐｒｅｓｅｎｔａｔｉｏｎ  Ｓｙｎｔａｘ）を示す。
【０２５３】
【表１６３】
2013538469.tif 000209
本発明の一側面によれば、実感効果メタデータに対する２進符号化は、メタデータのタイプ（Ｔｙｐｅ  ｏｆ  Ｍｅｔａｄａｔａ）、個々のメタデータのタイプ（Ｔｙｐｅ  ｏｆ  Ｉｎｄｉｖｉｄｕａｌ  Ｍｅｔａｄａｔａ）及び個別的メタデータタイプ（Ｉｎｄｉｖｉｄｕａｌ  Ｍｅｔａｄａｔａ  Ｔｙｐｅ）のデータフィールドタイプ（Ｄａｔａ  Ｆｉｅｌｄ  Ｔｙｐｅ）を含む。
【０２５４】
表１６０−２は、一実施形態に係る２進符号化の基本構造（Ｂａｓｉｃ  Ｓｔｒｕｃｔｕｒｅ）を示す。
【０２５５】
【表１６４】
2013538469.tif 000210
一実施形態に係るメタデータのタイプは、実感装置命令情報に対するメタデータ（すなわち、実感装置命令メタデータ、Ｓｅｎｓｏｒｙ  Ｄｅｖｉｃｅ  Ｃｏｍｍａｎｄ  Ｍｅｔａｄａｔａ）、実感効果メタデータ（Ｓｅｎｓｏｒｙ  Ｅｆｆｅｃｔ  Ｍｅｔａｄａｔａ）などを含んでもよい。表１６０−３は、メタデータのタイプに対する２進符号化を示す。
【０２５６】
【表１６５】
2013538469.tif 000211
表１６０−３を参照すると、一実施形態に係るメタデータのタイプは、実感効果メタデータ（ＳＥＭ）、インタラクション情報メタデータ（Ｉｎｔｅｒａｃｔｉｏｎ  Ｉｎｆｏｒｍａｔｉｏｎ  Ｍｅｔａｄａｔａ）、命令情報メタデータ（Ｃｏｎｔｒｏｌ  Ｉｎｆｏｒｍａｔｉｏｎ  Ｍｅｔａｄａｔａ）、仮想世界オブジェクト特性（Ｖｉｒｔｕａｌ  Ｗｏｒｌｄ  Ｏｂｊｅｃｔ  Ｃｈａｒａｃｔｅｒｉｓｔｉｃｓ）及び予約メタデータ（Ｒｅｓｅｒｖｅｄ  Ｍｅｔａｄａｔａ）を含む。
【０２５７】
一実施形態に係る個々のメタデータのタイプは、光効果（Ｌｉｇｈｔ  Ｅｆｆｅｃｔ）、フラッシュ効果（Ｆｌａｓｈ  Ｅｆｆｅｃｔ）などに対する選択（Ｓｅｌｅｃｔｉｏｎ）であってもよい。表１６０−４は、個々のメタデータのタイプの効果タイプ（Ｅｆｆｅｃｔ  Ｔｙｐｅ）に対する識別子（ＩＤ）を示す。
【０２５８】
【表１６６】
2013538469.tif 000212
表１６１は、一実施形態に係るＳＥＭ基本タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２５９】
【表１６７】
2013538469.tif 000213
本発明の一側面によれば、実感効果メタデータは実感効果情報の共通的な属性（Ｃｏｍｍｏｎ  Ａｔｔｒｉｂｕｔｅｓ）に対するグループを示すＳＥＭ基本属性（ＳＥＭ  Ｂａｓｅ  Ａｔｔｒｉｂｕｔｅｓ）を含んでもよい。
【０２６０】
表１６２は、一実施形態に係るＳＥＭ基本属性に対するＸＭＬ符号化シンタックス（ＸＭＬ  Ｒｅｐｒｅｓｅｎｔａｔｉｏｎ  Ｓｙｎｔａｘ）を示す。
【０２６１】
【表１６８】
2013538469.tif 000214
表１６３は、一実施形態に係るＳＥＭ基本属性に対する２進符号化シンタックス（Ｂｉｎａｒｙ  Ｒｅｐｒｅｓｅｎｔａｔｉｏｎ  Ｓｙｎｔａｘ）を示す。
【０２６２】
【表１６９】
2013538469.tif 000215
表１６４は、一実施形態に係るＳＥＭ基本属性に対する記述語構成意味論（Ｄｅｓｃｒｉｐｔｏｒ  Ｃｏｍｐｏｎｅｎｔｓ  Ｓｅｍａｎｔｉｃｓ）を示す。
【０２６３】
【表１７０】
2013538469.tif 000216
2013538469.tif 000217
2013538469.tif 000218
2013538469.tif 000219
2013538469.tif 000220
表１６５は、一実施形態に係るＳＥＭ適応属性（ＳＥＭ  Ａｄａｐｔａｂｉｌｉｔｙ  Ａｔｔｒｉｂｕｔｅｓ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０２６４】
【表１７１】
2013538469.tif 000221
2013538469.tif 000222
表１６６は、一実施形態に係るｓｉ属性リスト（ｓｉ  Ａｔｔｒｉｂｕｔｅ  Ｌｉｓｔ）に対するＸＭＬ符号化シンタックス（ＸＭＬ  Ｒｅｐｒｅｓｅｎｔａｔｉｏｎ  Ｓｙｎｔａｘ）を示す。
【０２６５】
【表１７２】
2013538469.tif 000223
表１６７は、一実施形態に係るｓｉ属性リストに対する２進符号化シンタックス（Ｂｉｎａｒｙ  Ｒｅｐｒｅｓｅｎｔａｔｉｏｎ  Ｓｙｎｔａｘ）を示す。
【０２６６】
【表１７３】
2013538469.tif 000224
表１６８は、一実施形態に係る技術メタデータタイプ（Ｄｅｓｃｒｉｐｔｉｏｎ  Ｍｅｔａｄａｔａ  Ｔｙｐｅ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０２６７】
【表１７４】
2013538469.tif 000225
2013538469.tif 000226
表１６９は、一実施形態に係るＳＥＭルートエレメント（ＳＥＭ  Ｒｏｏｔ  Ｅｌｅｍｅｎｔ）に対するＸＭＬ符号化シンタックス（ＸＭＬ  Ｒｅｐｒｅｓｅｎｔａｔｉｏｎ  Ｓｙｎｔａｘ）を示す。
【０２６８】
【表１７５】
2013538469.tif 000227
表１７０は、一実施形態に係るＳＥＭルートエレメントに対する２進符号化シンタックス（Ｂｉｎａｒｙ  Ｒｅｐｒｅｓｅｎｔａｔｉｏｎ  Ｓｙｎｔａｘ）を示す。
【０２６９】
【表１７６】
2013538469.tif 000228
表１７１は、一実施形態に係るＳＥＭに対する記述語構成意味論（Ｄｅｓｃｒｉｐｔｏｒ  Ｃｏｍｐｏｎｅｎｔｓ  Ｓｅｍａｎｔｉｃｓ）を示す。
【０２７０】
【表１７７】
2013538469.tif 000229
2013538469.tif 000230
表１７２は、一実施形態に係る技術メタデータ（Ｄｅｓｃｒｉｐｔｉｏｎ  Ｍｅｔａｄａｔａ）に対するＸＭＬ符号化シンタックス（ＸＭＬ  Ｒｅｐｒｅｓｅｎｔａｔｉｏｎ  Ｓｙｎｔａｘ）を示す。
【０２７１】
【表１７８】
2013538469.tif 000231
表１７３は、一実施形態に係る技術メタデータに対する２進符号化シンタックス（Ｂｉｎａｒｙ  Ｒｅｐｒｅｓｅｎｔａｔｉｏｎ  Ｓｙｎｔａｘ）を示す。
【０２７２】
【表１７９】
2013538469.tif 000232
表１７４は、他の一実施形態に係る技術メタデータタイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２７３】
【表１８０】
2013538469.tif 000233
表１７５は、一実施形態に係る宣言タイプ（Ｄｅｃｌａｒａｔｉｏｎｓ  Ｔｙｐｅ）に対するＸＭＬ符号化シンタックス（ＸＭＬ  Ｒｅｐｒｅｓｅｎｔａｔｉｏｎ  Ｓｙｎｔａｘ）を示す。
【０２７４】
【表１８１】
2013538469.tif 000234
表１７６は、一実施形態に係る宣言タイプに対する２進符号化シンタックス（Ｂｉｎａｒｙ  Ｒｅｐｒｅｓｅｎｔａｔｉｏｎ  Ｓｙｎｔａｘ）を示す。
【０２７５】
【表１８２】
2013538469.tif 000235
表１７７は、他の一実施形態に係る宣言タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２７６】
【表１８３】
2013538469.tif 000236
表１７８は、一実施形態に係る効果グループタイプ（Ｇｒｏｕｐ  ｏｆ  Ｅｆｆｅｃｔ  Ｔｙｐｅ）に対するＸＭＬ符号化シンタックス（ＸＭＬ  Ｒｅｐｒｅｓｅｎｔａｔｉｏｎ  Ｓｙｎｔａｘ）を示す。
【０２７７】
【表１８４】
2013538469.tif 000237
表１７９は、一実施形態に係る効果グループタイプに対する２進符号化シンタックス（Ｂｉｎａｒｙ  Ｒｅｐｒｅｓｅｎｔａｔｉｏｎ  Ｓｙｎｔａｘ）を示す。
【０２７８】
【表１８５】
2013538469.tif 000238
表１８０は、他の一実施形態に係る効果タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２７９】
【表１８６】
2013538469.tif 000239
表１８１は、一実施形態に係る効果基本タイプ（Ｅｆｆｅｃｔ  Ｂａｓｅ  Ｔｙｐｅ）に対するＸＭＬ符号化シンタックス（ＸＭＬ  Ｒｅｐｒｅｓｅｎｔａｔｉｏｎ  Ｓｙｎｔａｘ）を示す。
【０２８０】
【表１８７】
2013538469.tif 000240
表１８２は、一実施形態に係る効果基本タイプに対する２進符号化シンタックス（Ｂｉｎａｒｙ  Ｒｅｐｒｅｓｅｎｔａｔｉｏｎ  Ｓｙｎｔａｘ）を示す。
【０２８１】
【表１８８】
2013538469.tif 000241
表１８３は、一実施形態に係る効果基本タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２８２】
【表１８９】
2013538469.tif 000242
表１８４は、一実施形態に係る補充情報タイプ（Ｓｕｐｐｌｉｍｅｎｔａｌ  Ｉｎｆｏｒｍａｔｉｏｎ  Ｔｙｐｅ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０２８３】
【表１９０】
2013538469.tif 000243
表１８５は、一実施形態に係る参照効果タイプ（Ｒｅｆｅｒｅｎｃｅ  Ｅｆｆｅｃｔ  Ｔｙｐｅ）に対するＸＭＬ符号化シンタックス（ＸＭＬ  Ｒｅｐｒｅｓｅｎｔａｔｉｏｎ  Ｓｙｎｔａｘ）を示す。
【０２８４】
【表１９１】
2013538469.tif 000244
表１８６は、一実施形態に係る参照効果タイプに対する２進符号化シンタックス（Ｂｉｎａｒｙ  Ｒｅｐｒｅｓｅｎｔａｔｉｏｎ  Ｓｙｎｔａｘ）を示す。
【０２８５】
【表１９２】
2013538469.tif 000245
表１８７は、一実施形態に係る参照効果タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２８６】
【表１９３】
2013538469.tif 000246
表１８８は、一実施形態に係るパラメータ基本タイプ（Ｐａｒａｍｅｔｅｒ  Ｂａｓｅ  Ｔｙｐｅ）に対するＸＭＬ符号化シンタックス（ＸＭＬ  Ｒｅｐｒｅｓｅｎｔａｔｉｏｎ  Ｓｙｎｔａｘ）を示す。
【０２８７】
【表１９４】
2013538469.tif 000247
表１８９は、一実施形態に係るパラメータ基本タイプに対する２進符号化シンタックス（Ｂｉｎａｒｙ  Ｒｅｐｒｅｓｅｎｔａｔｉｏｎ  Ｓｙｎｔａｘ）を示す。
【０２８８】
【表１９５】
2013538469.tif 000248
表１９０は、一実施形態に係るパラメータ基本タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２８９】
【表１９６】
2013538469.tif 000249
表１９１は、一実施形態に係る色彩矯正パラメータタイプ（Ｃｏｌｏｒ  Ｃｏｒｒｅｃｔｉｏｎ  Ｐａｒａｍｅｔｅｒ  Ｔｙｐｅ）に対するＸＭＬ符号化シンタックス（ＸＭＬ  Ｒｅｐｒｅｓｅｎｔａｔｉｏｎ  Ｓｙｎｔａｘ）を示す。
【０２９０】
【表１９７】
2013538469.tif 000250
表１９２は、一実施形態に係る色彩矯正パラメータタイプに対する２進符号化シンタックス（Ｂｉｎａｒｙ  Ｒｅｐｒｅｓｅｎｔａｔｉｏｎ  Ｓｙｎｔａｘ）を示す。
【０２９１】
【表１９８】
2013538469.tif 000251
2013538469.tif 000252
表１９３は、一実施形態に係る色彩矯正パラメータタイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２９２】
【表１９９】
2013538469.tif 000253
色彩矯正パラメートルタイプは、トーン複写曲線タイプ（Ｔｏｎｅ  Ｒｅｐｒｏｄｕｃｔｉｏｎ  Ｃｕｒｖｅｓ  Ｔｙｐｅ）、変換ＬＵＴタイプ（Ｃｏｎｖｅｒｓｉｏｎ  ＬＵＴ  Ｔｙｐｅ）、発光タイプ（ｉｌｌｕｍｉｎａｎｔ  Ｔｙｐｅ）及び入力装置色彩全体タイプ（Ｉｎｐｕｔ  Ｄｅｖｉｃｅ  Ｃｏｌｏｒ  Ｇａｍｕｔ  Ｔｙｐｅ）を含んでもよい。
【０２９３】
表１９４は、一実施形態に係るトーン複写曲線タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２９４】
【表２００】
2013538469.tif 000254
表１９５は、一実施形態に係る変換ＬＵＴタイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２９５】
【表２０１】
2013538469.tif 000255
表１９６は、一実施形態に係る発光タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２９６】
【表２０２】
2013538469.tif 000256
表１９７は、一実施形態に係る入力装置色彩全体タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０２９７】
【表２０３】
2013538469.tif 000257
表１９８は、一実施形態に係る光タイプ（Ｌｉｇｈｔ  Ｔｙｐｅ）の実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０２９８】
【表２０４】
2013538469.tif 000258
表１９９は、一実施形態に係る光タイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０２９９】
【表２０５】
2013538469.tif 000259
表２００は、一実施形態に係る光タイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３００】
【表２０６】
2013538469.tif 000260
2013538469.tif 000261
2013538469.tif 000262
2013538469.tif 000263
2013538469.tif 000264
2013538469.tif 000265
2013538469.tif 000266
2013538469.tif 000267
表２０１は、一実施形態に係る色彩タイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０３０１】
【表２０７】
2013538469.tif 000268
表２０２は、一実施形態に係る色彩ＲＧＢタイプに対する記述語構成意味論（Ｄｅｓｃｒｉｐｔｏｒ  Ｃｏｍｐｏｎｅｎｔｓ  Ｓｅｍａｎｔｉｃｓ）を示す。
【０３０２】
【表２０８】
2013538469.tif 000269
表２０３は、一実施形態に係るフラッシュタイプ（Ｆｌａｓｈ  Ｔｙｐｅ）の実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３０３】
【表２０９】
2013538469.tif 000270
表２０４は、一実施形態に係るフラッシュタイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３０４】
【表２１０】
2013538469.tif 000271
表２０４は、一実施形態に係るフラッシュタイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３０５】
【表２１１】
2013538469.tif 000272
本発明の一側面によれば、実感装置７３０は、温度タイプ（Ｔｅｍｐｅｒａｔｕｒｅ  Ｔｙｐｅ）をさらに含んでもよい。
【０３０６】
表２０５は、一実施形態に係る温度タイプの実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３０７】
【表２１２】
2013538469.tif 000273
表２０６は、一実施形態に係る温度タイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３０８】
【表２１３】
2013538469.tif 000274
表２０７は、一実施形態に係る温度タイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３０９】
【表２１４】
2013538469.tif 000275
表２０８は、一実施形態に係る風タイプの実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３１０】
【表２１５】
2013538469.tif 000276
表２０９は、一実施形態に係る風タイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３１１】
【表２１６】
2013538469.tif 000277
表２１０は、一実施形態に係る風タイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３１２】
【表２１７】
2013538469.tif 000278
表２１１は、一実施形態に係る振動タイプの実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３１３】
【表２１８】
2013538469.tif 000279
表２１２は、一実施形態に係る振動タイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３１４】
【表２１９】
2013538469.tif 000280
表２１３は、一実施形態に係る振動タイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３１５】
【表２２０】
2013538469.tif 000281
表２１４は、一実施形態に係るスプレイタイプの実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３１６】
【表２２１】
2013538469.tif 000282
表２１５は、一実施形態に係るスプレイタイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３１７】
【表２２２】
2013538469.tif 000283
表２１６は、一実施形態に係るスプレイタイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３１８】
【表２２３】
2013538469.tif 000284
表２１７は、一実施形態に係る匂いタイプの実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３１９】
【表２２４】
2013538469.tif 000285
表２１８は、一実施形態に係る匂いタイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３２０】
【表２２５】
2013538469.tif 000286
表２１９は、一実施形態に係る匂いタイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３２１】
【表２２６】
2013538469.tif 000287
表２２０は、一実施形態に係る霧タイプの実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３２２】
【表２２７】
2013538469.tif 000288
表２２１は、一実施形態に係る霧タイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３２３】
【表２２８】
2013538469.tif 000289
表２２２は、一実施形態に係る霧タイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３２４】
【表２２９】
2013538469.tif 000290
表２２３は、一実施形態に係る色彩矯正タイプの実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３２５】
【表２３０】
2013538469.tif 000291
表２２４は、一実施形態に係る色彩矯正タイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３２６】
【表２３１】
2013538469.tif 000292
表２２５は、一実施形態に係る色彩矯正タイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３２７】
【表２３２】
2013538469.tif 000293
表２２６は、一実施形態に係る剛体モーションタイプの実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３２８】
【表２３３】
2013538469.tif 000294
2013538469.tif 000295
2013538469.tif 000296
表２２７は、一実施形態に係る剛体モーションタイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３２９】
【表２３４】
2013538469.tif 000297
2013538469.tif 000298
2013538469.tif 000299
2013538469.tif 000300
表２２８は、一実施形態に係る剛体モーションタイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３３０】
【表２３５】
2013538469.tif 000301
2013538469.tif 000302
表２２９は、一実施形態に係る移動トゥウォードタイプ（Ｍｏｖｅ  Ｔｏｗａｒｄ  Ｔｙｐｅ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０３３１】
【表２３６】
2013538469.tif 000303
表２３０は、一実施形態に係る傾斜タイプ（Ｉｎｃｌｉｎｅ  Ｔｙｐｅ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０３３２】
【表２３７】
2013538469.tif 000304
表２３１は、一実施形態に係るシェークタイプ（Ｓｈａｋｅ  Ｔｙｐｅ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０３３３】
【表２３８】
2013538469.tif 000305
表２３２は、一実施形態に係るウェーブタイプ（Ｗａｖｅ  Ｔｙｐｅ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０３３４】
【表２３９】
2013538469.tif 000306
表２３３は、一実施形態に係るスピンタイプ（Ｓｐｉｎ  Ｔｙｐｅ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０３３５】
【表２４０】
2013538469.tif 000307
表２３４は、一実施形態に係るターンタイプ（Ｔｕｒｎ  Ｔｙｐｅ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０３３６】
【表２４１】
2013538469.tif 000308
表２３５は、一実施形態に係る衝突タイプ（Ｃｏｌｌｉｄｅ  Ｔｙｐｅ）に対する記述語構成意味論（Ｄｅｓｃｒｉｐｔｏｒ  Ｃｏｍｐｏｎｅｎｔｓ  Ｓｅｍａｎｔｉｃｓ）を示す。
【０３３７】
【表２４２】
2013538469.tif 000309
本発明の一側面によれば、筋感覚タイプの実感装置はパッシブ筋感覚モーションタイプ、パッシブ筋感覚力タイプ及びアクティブ筋感覚タイプを含んでもよい。
【０３３８】
表２３６は、一実施形態に係るパッシブ筋感覚モーションタイプ（Ｐａｓｓｉｖｅ  Ｋｉｎｅｓｔｈｅｔｉｃ  Ｍｏｔｉｏｎ  Ｔｙｐｅ）の実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３３９】
【表２４３】
2013538469.tif 000310
表２３７は、一実施形態に係るパッシブ筋感覚モーションタイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３４０】
【表２４４】
2013538469.tif 000311
表２３８は、一実施形態に係るパッシブ筋感覚モーションタイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３４１】
【表２４５】
2013538469.tif 000312
表２３８−２は、一実施形態に係るパッシブ筋感覚力タイプ（Ｐａｓｓｉｖｅ  Ｋｉｎｅｓｔｈｅｔｉｃ  Ｆｏｒｃｅ  Ｔｙｐｅ）の実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３４２】
【表２４６】
2013538469.tif 000313
表２３８−３は、一実施形態に係るパッシブ筋感覚モーションタイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３４３】
【表２４７】
2013538469.tif 000314
表２３８−４は、一実施形態に係るパッシブ筋感覚モーションタイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３４４】
【表２４８】
2013538469.tif 000315
表２３９は、一実施形態に係るアクティブ筋感覚タイプ（Ａｃｔｉｖｅ  Ｋｉｎｅｓｔｈｅｔｉｃ  Ｔｙｐｅ）の実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３４５】
【表２４９】
2013538469.tif 000316
表２４０は、一実施形態に係るアクティブ筋感覚タイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３４６】
【表２５０】
2013538469.tif 000317
表２４１は、一実施形態に係るアクティブ筋感覚タイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３４７】
【表２５１】
2013538469.tif 000318
表２４２は、一実施形態に係る触覚タイプの実感装置で実現される実感効果情報に対するＸＭＬ符号化シンタックス（ＸＭＬ  Ｒｅｐｒｅｓｅｎｔａｔｉｏｎ  Ｓｙｎｔａｘ）を示す。
【０３４８】
【表２５２】
2013538469.tif 000319
表２４３は、一実施形態に係る触覚タイプの実感装置で実現される実感効果情報に対する２進符号化シンタックス（Ｂｉｎａｒｙ  Ｒｅｐｒｅｓｅｎｔａｔｉｏｎ  Ｓｙｎｔａｘ）を示す。
【０３４９】
【表２５３】
2013538469.tif 000320
表２４４は、一実施形態に係る触覚タイプの実感装置で実現される実感効果情報に対する記述語構成意味論（Ｄｅｓｃｒｉｐｔｏｒ  Ｃｏｍｐｏｎｅｎｔｓ  Ｓｅｍａｎｔｉｃｓ）を示す。
【０３５０】
【表２５４】
2013538469.tif 000321
表２４５は、一実施形態に係る連想記号（Ｍｎｅｍｏｎｉｃｓ）を示す。
【０３５１】
【表２５５】
2013538469.tif 000322
図７Ｂは、本発明の一実施形態に係る実感効果処理システムの動作方法を示す図である。図７Ｂを参照すると、実感メディア再生装置７１０は少なくとも１つの実感効果情報を含むコンテンツを再生する。
【０３５２】
実感メディア再生装置７１０はコンテンツから実感効果情報を抽出する。ここで、実感メディア再生装置７１０は、実感効果情報を実感効果メタデータ（Ｓｅｎｓｏｒｙ  Ｅｆｆｅｃｔ  Ｍｅｔａｄａｔａ、ＳＥＭ）に符号化する（Ｓ７４１）。すなわち、実感メディア再生装置７１０は実感効果情報を符号化して実感効果メタデータを生成してもよい。また、一実施形態に係る実感メディア再生装置７１０は、生成した実感効果メタデータを実感効果制御装置７２０に送信してもよい。
【０３５３】
実感装置７３０は、実感装置７３０の特性に対する特性情報を実感装置特性メタデータ（Ｓｅｎｓｏｒｙ  Ｄｅｖｉｃｅ  Ｃａｐａｂｉｌｉｔｙ  Ｍｅｔａｄａｔａ、ＳＤＣａｐ  Ｍｅｔａｄａｔａ）に符号化する（Ｓ７４２）。すなわち、実感装置７３０は特性情報を符号化して実感装置特性メタデータを生成してもよい。また、一実施形態に係る実感装置７３０は、生成した実感装置特性メタデータを実感効果制御装置７２０に送信してもよい。実感効果制御装置７２０は、実感効果メタデータ及び実感装置特性メタデータを復号化してもよい（Ｓ７４３）。
【０３５４】
一実施形態に係る実感効果制御装置７２０は、実感効果メタデータを復号化して実感効果情報を抽出してもよい。また、実感効果制御装置７２０は、実感装置特性メタデータを復号化して実感装置７３０の特性に対する特性情報を抽出してもよい。実感効果制御装置７２０は、デコードされた実感効果メタデータ及びデコードされた実感装置特性メタデータに基づいて実感装置７３０を制御する命令情報を生成する（Ｓ７４４）。
【０３５５】
実感効果制御装置７２０は、生成した命令情報を実感装置命令メタデータに符号化する（Ｓ７４５）。すなわち、実感効果制御装置７２０は、生成した命令情報を符号化して実感装置命令メタデータを生成してもよい。また、実感効果制御装置７２０は、実感装置命令メタデータを実感装置７３０に送信する。
【０３５６】
実感装置７３０は、実感効果制御装置７２０から実感装置命令メタデータを受信し、受信した実感装置命令メタデータを復号化する（Ｓ７４６）。すなわち、実感装置７３０は、実感装置命令メタデータを復号化して実感効果情報を抽出してもよい。ここで、実感装置７３０は実感効果情報に対応する効果イベントを行う（Ｓ７４７）。
【０３５７】
本発明の一側面によれば、実感装置７３０は、実感装置命令メタデータを復号化して命令情報を抽出してもよい。ここで、実感装置７３０は、命令情報に基づいて実感効果情報に対応する効果イベントを行う。
【０３５８】
本発明の他の一側面によれば、実感装置７３０は、ユーザの実感効果に対する嗜好情報をユーザ実感嗜好メタデータに符号化する（Ｓ７５１）。すなわち、実感装置７３０は、ユーザの実感効果に対する嗜好情報を符号化してユーザ実感嗜好メタデータ（Ｕｓｅｒ  Ｓｅｎｓｏｒｙ  Ｐｒｅｆｅｒｅｎｃｅ  Ｍｅｔａｄａｔａ、ＵＳＰ  Ｍｅｔａｄａｔａ）を生成してもよい。
【０３５９】
また、実感装置７３０は、生成されたユーザ実感嗜好メタデータを実感効果制御装置７２０に送信してもよい。本発明の一側に係る実感効果制御装置７２０は実感装置７３０から実感装置特性メタデータ及びユーザ実感嗜好メタデータを受信する（Ｓ７５２）。ここで、実感効果制御装置７２０は、ユーザ実感嗜好メタデータを復号化してユーザの実感効果に対する嗜好情報を抽出する（Ｓ７５３）。
【０３６０】
また、実感効果制御装置７２０はデコードされた実感効果メタデータ、デコードされた実感装置特性メタデータ及びデコードされたユーザ実感嗜好メタデータに基づいて命令情報を生成してもよい。実施形態によっては、命令情報は実感効果情報を含んでもよい。
【０３６１】
本発明の一側面によれば、実感効果制御方法は、実感効果制御装置７２０がステップＳ７４３からステップＳ７４５を行う方法であってもよい。また、本発明の一側面によれば、実感装置動作方法は、実感装置７３０がステップＳ７４６及びステップＳ７４７を行う方法であってもよい。
【０３６２】
本発明に係る実施形態は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を格納して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【０３６３】
以上のように本発明を限定された実施形態と図面によって説明したが、本発明は、上記の実施形態に限定されることなく、本発明が属する分野における通常の知識を有する者であれば、このような実施形態から多様な修正及び変形が可能である。
【０３６４】
したがって、本発明の範囲は、開示された実施形態に限定して定められるものではなく、特許請求の範囲及び特許請求の範囲と均等なものなどによって定められるものである。
【図１】
2013538469.tif 000323
【図２】
2013538469.tif 000324
【図３】
2013538469.tif 000325
【図４】
2013538469.tif 000326
【図５】
2013538469.tif 000327
【図６】
2013538469.tif 000328
【図７Ａ】
2013538469.tif 000329
【図７Ｂ】
2013538469.tif 000330
2013538469.tif 000331
2013538469.tif 000332
【国際調査報告】
2013538469.tif 000333
2013538469.tif 000334
2013538469.tif 000335
2013538469.tif 000336